【手続補正書】
【提出日】平成18年11月20日(2006.11.20)
【手続補正１】
【補正対象書類名】明細書
【補正対象項目名】００４５
【補正方法】変更
【補正の内容】
【００４５】
リール制御部１００は、スプールセンサ１０２の計数値が出力されると、それをもとに記憶部１０７に格納された複数のマップデータのなかから選択された釣り糸のマップデータに基づいて表示用の仕掛けの水深データＬＸを算出し、算出された水深データＬＸを水深表示部９８に表示させる。また、魚探モニタ１２０が接続されている場合には、仕掛けの水深データＬＸを含む各種の情報を情報通信部１０５及び電源コード１３０の通信線を介して魚探モニタ１２０に出力する。
【手続補正２】
【補正対象書類名】明細書
【補正対象項目名】００４７
【補正方法】変更
【補正の内容】
【００４７】
なお、リチウム電池を使用して電源電圧ＰＶが１５ボルトになった場合、デューテイ比Ｄ１，Ｄ２，Ｄ３は、電源電圧ＰＶの上昇分を補正するように、たとえば１２／１５の値に補正する。これにより、リチウム電池やニッケル水素電池のように鉛電池より電源電圧が高い蓄電池を使用しても、調整レバー１０１の操作によるモータ４の正転時に印加される電圧及び逆転開始時にモータ４に印加される第１及び第２電圧Ｖ１，Ｖ２は変動しにくくなり、調整レバー１０１の操作によるモータ４の正転時の速度及びトルクの変動が少なくなるとともに、モータ４の逆転時に出力軸３０に固定される機構装着軸７５がさらに空転しにくくなる。
【手続補正３】
【補正対象書類名】明細書
【補正対象項目名】００７１
【補正方法】変更
【補正の内容】
【００７１】
爪制御機構８４は、モータ４が正転すると爪車８１の突起部８１ａをかわす位置まで揺動爪８２を逆転許可位置側に揺動させるための機構である。爪制御機構８４は、機構装着軸７５の第１軸部７５ａに回転自在に装着され、外周に揺動爪８２を逆転禁止位置側に押圧するための突出した押圧部８５ａを有する静音カム８５と、静音カム８５の回動範囲を規制する回動規制部８６とを有している。静音カム８５は、第１軸部７５ａに摩擦係合しており、機構装着軸７５の回動に連動して同じ方向に回動するとともに、回動規制部８６によって静音カム８５の回動が規制されても機構装着軸７５は回転できるようになっている。回動規制部８６は、静音カム８５に径方向に突出して一体形成された係止片８６ａと、カバー部材２８に形成され係止片８６ａが係止される切欠き部８６ｂとを有している。切欠き部８６ｂは、カバー部材２８の円弧状の側面を揺動範囲だけ円弧状に切り欠いて形成されている。静音カム８５と爪車８１との間には、ワッシャ８７が装着されている。
【手続補正４】
【補正対象書類名】明細書
【補正対象項目名】００８６
【補正方法】変更
【補正の内容】
【００８６】
そして、糸送りモードのときには、たとえば繰り出し量が所定量（たとえば、仕掛けの水深表示が６ｍ）を超えたり、スプール３の回転速度が所定速度を超えると、モータ４が糸巻取方向に回転する。このクラッチオフ状態では第２キャリア４６が回転するため、モータ４を正転させても遊星歯車機構４０は減速動作しないが、遊星歯車機構４０とスプール３との摩擦が減少し、スプール３が自由回転状態より高速で糸繰り出し方向に回転する。
【手続補正５】
【補正対象書類名】明細書
【補正対象項目名】００８９
【補正方法】変更
【補正の内容】
【００８９】
仕掛けが所定の棚に配置されると、モータ４を逆転させるか、ハンドル２ａを糸巻取方向に回転させるか、又はクラッチ操作レバー５０をクラッチオン位置に揺動させスプール３の糸繰り出しを停止する。自動棚停止モードのときには、モータ４の逆転によりスプール３の糸繰り出しが自動的に棚位置で停止する。
【手続補正６】
【補正対象書類名】明細書
【補正対象項目名】０１１０
【補正方法】変更
【補正の内容】
【０１１０】
決定ボタンＤＢが操作されると、ステップＳ２４からステップＳ３２に移行する。ステップＳ３２では、決定ボタンＤＢが３秒以上長押しされたか否かを判断する。長押しではない場合はステップＳ３３に移行する。ステップＳ３３では、選択された項目を決定してステップＳ３４に移行する。ステップＳ３４では、決定された項目を魚探モニタ１２０に送信する必要があるか否かを判断する。送信する必要がある場合にはステップＳ３５に移行してその項目の送信要求を行い、不要の場合はステップＳ３５をスキップしてステップＳ２５に移行する。一方、長押しと判断すると、ステップＳ３２からステップＳ３６に移行する。ステップＳ３６では、現在の水深データＬＸを糸長の基準となる基準糸長として０にセットする。これより、以降の水深は、セットされた位置の水深データＬＸを０とし、それからの糸長で表示される。
【手続補正７】
【補正対象書類名】明細書
【補正対象項目名】０１１４
【補正方法】変更
【補正の内容】
【０１１４】
速度Ｖが下限速度Ｖｓｔ１未満の場合には、ステップＳ４４からステップＳ４６に移行して現在の第１デューテイ比Ｄ１を読み込む。この第１デューテイ比Ｄ１は、記憶部１０７に設定が変更される都度記憶されている。また、各段階ＳＴ毎に最大値ＤＵｓｔと最小値ＤＬｓｔが設定されており、最初に各段階ＳＴに設定されたときには、たとえばその中間の第１デューテイ比Ｄ１＝（（ＤＵｓｔ＋ＤＬｓｔ）／２）にセットされる。ステップＳ４７では、現在の第１デューテイ比Ｄ１が設定された段階の最大値ＤＵｓｔを超えているか否かを判断する。超えている場合はステップＳ４８に移行して第１デューテイ比Ｄ１に最大値ＤＵｓｔをセットする。超えていない場合には、ステップＳ４７からステップＳ４９に移行し、第１デューテイ比Ｄ１を所定の増分ＤＩ（たとえば１％）だけ増やしてステップＳ４５に移行する。なお、最高段階（ＳＴ＝４）の最大値ＤＵｓｔは８５％以下に設定されている。したがって、調整レバー１０１による調整操作の上限はデューテイ比が８５％である。
【手続補正８】
【補正対象書類名】明細書
【補正対象項目名】０１２４
【補正方法】変更
【補正の内容】
【０１２４】
オートさそいモードが設定されていると判断すると、ステップＳ７５からステップＳ７８に移行する。ステップＳ７８では図１９に示すオートさそい処理が実行される。このオートさそい処理は、棚位置Ｍから設定されたさそいぱたんーで設定された範囲でモータ４をオンオフするさそい動作を行う。具体的には、図１９のステップＳ９０で水深データＬＸが棚位置Ｍよりさそい幅ＳＡを超えて巻取られているか否かを判断する。仕掛けがさそい幅ＳＡ中にある場合には、ステップＳ９１に移行する。ステップＳ９１では、さそい回数を設定する変数Ｎが０か否かを判断する。この変数Ｎが０の場合は、初めてさそいを行うと言うことである。変数Ｎが０のときはステップＳ９２に移行して変数Ｎを１にセットする。変数Ｎが０ではないときはこの処理をスキップする。ステップＳ９３では、水深データＬＸがさそい動作でモータ４をオフする位置（ＬＸ＝Ｍ−Ｎ＊Ｌ）到達したか否かを判断する。ここで、変数Ｌは、さそいパターンによって変化する値である。さそい位置に仕掛けが到達すると、ステップＳ９４に移行し、モータ４を所定時間停止させる。ステップＳ９５では、次のさそい位置に仕掛けを配置すべく変数Ｎを１だけ増加させる。仕掛けがさそい幅を過ぎた場合には、ステップＳ９６に移行して変数Ｎを０にクリアし各モード動作処理に戻る。なお、この実施形態では、オートさそいのときに、さそい回数によって同一間隔かつ同一停止時間でスプール３を巻取方向に回転させている。しかし、さそいパターンはこれに限定されず不等間隔かつ可変停止時間であってもよい。